(57)【要約】      （修正有）【課題】経年によって痩せた木材からも抜けにくく、引き抜き強度を増す建築木材用ネジを提供する。【解決手段】ネジ山８のピッチは３．０ｍｍから６．０ｍｍであって、前記ネジ山の頂角は４０°〜６５°とする。建築木材用ネジ１のネジ部７をこのように形成することで、ねじ込んだ木材とのからみ付が強いために、経年劣化によってやせた木材からも抜けにくく、木材同士の強固な締結を長期にわたって維持できる。また、ネジ部には胴部５と同径のネジ山が螺旋状に形成されてなることにより、強度的な問題や施工上において優位品質を実現することができる。さらに、不完全ネジ部６の長さを正確に管理することができるため、使用箇所による施工時の作業性や品質に優れる。さらに、ネジ部先端に５０°〜８０°の円錐状の角度をつける事により、木材に対して締結する際の施工が容易となる。【選択図】図１
0003233356.tif 000002
【実用新案登録請求の範囲】
【請求項１】
木材からなる建築部材の締結に用いられるネジであって、
工具と締結可能な頭部と、
前記頭部から先端方向に延設されてなり、柱状の胴部と、
前記胴部よりも先端方向に延設されてなり、周面に前記胴部と同径のネジ山が螺旋状に形成されてなるネジ部と、
前記ネジ部の軸方向に対して、前記ネジ山とネジ山との間に形成されてなる平坦部と、を備える
ことを特徴とする建築木材用ネジ。
【請求項２】
前記ネジ山のピッチは３．０ｍｍ〜６．０ｍｍであって、
前記ネジ山の頂角は４０°〜６５°であって、
前記ネジ山の高さは２．０ｍｍ〜５．０ｍｍである
ことを特徴とする請求項１に記載の建築木材用ネジ。
【請求項３】
前記ネジ部の先端が５０°〜８０°の頂角を備える錐形に形成されてなると共に、前記錐形の基端の一部が前記ネジ山と連続する
ことを特徴とする請求項１または２に記載の建築木材用ネジ。
【請求項４】
前記胴部と前記ネジ部との間に、前記胴部の周面から前記平坦部に向かって徐々に縮径してなる傾斜部を有する不完全ネジ部が形成され、
前記不完全ネジ部の周面には、前記ネジ山と連続する螺旋状であって、前記胴部と同径の不完全ネジ山が形成されてなる
ことを特徴とする請求項１〜３のいずれか１つに記載の建築木材用ネジ。
【請求項５】
前記ネジ山が、切削によって形成されてなる
ことを特徴とする請求項１〜４のいずれか１つに記載の建築木材用ネジ。
【考案の詳細な説明】
【技術分野】
【０００１】
本考案は、木製からなる建築部材の締結に用いられる建築木材用ネジに関する。
【背景技術】
【０００２】
一般の木材用ネジは、頭部を有する丸軸部及び丸軸部の先端が先鋭状とされて、その周面に形成された連続する螺旋状のねじ山を設けた構成とされており、木材に対してねじ溝を形成しながら、レンチ・インパクトレンチなどの締付工具でねじ込まれるものである。
【先行技術文献】
【特許文献】
【０００３】
【特許文献１】実登第３０８１９４４号公報
【考案の概要】
【考案が解決しようとする課題】
【０００４】
建築木材の締結に木材用ネジを用いた場合、建築木材は長期にわたって締結された状態を維持する必要がある。しかし、木材は年月を経るとやせが生じて、締結している木材用ネジに緩みが生じるという問題や、丸軸部とネジ部の径が違うことにより強度的な問題や、ネジ長さの正確性に問題が見受けられ、施工性等を考慮すると問題があった。
【課題を解決するための手段】
【０００５】
そこで、上記課題を解決するための手段として本考案に係る建築木材用ネジは、木材からなる建築部材の締結に用いられるネジであって、工具と締結可能な頭部と、前記頭部から先端方向に延設されてなり、柱状の胴部と、前記胴部よりも先端方向に延設されてなり、周面に前記胴部と同径のネジ山が螺旋状に形成されてなるネジ部と、前記ネジ部の軸方向に対して、前記ネジ山とネジ山との間に形成されてなる平坦部と、を備えることを特徴とする。
【０００６】
さらに、前記ネジ山のピッチは３．０ｍｍから６．０ｍｍであって、前記ネジ山の頂角は４０°〜６５°であることが好ましく、より好ましくは、前記ネジ山のピッチは５．４ｍｍ〜５．６ｍｍであって、前記ネジ山の頂角は５５°〜６０°である。また、前記ネジ山の高さは２．０ｍｍ〜５．０ｍｍであることを特徴とする。建築木材用ネジのネジ部をこのように形成することで、ねじ込んだ木材とのからみ付きが強いために、経年変化によってやせた木材からも抜けにくく、木材同士の強固な締結を長期にわたって維持できるという優れた効果を発揮することができる。また、ネジ部の先端を、５０°〜８０°の円錐状に形成することにより、木材に対して締結する際の施工が容易となる。さらに、ネジ部の円錐形の先端の角度は６０°〜７５°に形成されてなることがより好ましく、特に好ましくは７０°である。ネジ部の先端の角度をこのように形成することで、建築木材へのねじ込みが容易となる。また、円錐形の基端の一部が前記ネジ山と連続するように形成されてなることが好ましい。先端部の円錐形状により、材木の下穴に対して挿入し易く施工性が良い。
【０００７】
さらにまた、前記ネジ部のネジ山は、ネジ山の形成工程前の棒状素材である状態から、切削により形成されてなることが好ましい。ネジ山を切削して形成することで、ネジ山の有効部分を正確に形成する事ができるため、木材との締結時に必要以上に締め付ける事が無く、木割れを起こすことなく施工出来る。また、ネジ部の径が全体的に同径のために、木材との接地面が多く、引き抜き強度増すこととなる。また、ネジ山の形成を切削で行うことにより、建築木材用ネジのネジ切り加工を行ううえで転造による圧力変形ネジ部の内部に鬆の発生が生じるおそれを防ぎ、完成した建築木材用ネジの強度を高めることができる。言いかえれば、建築木材用ネジのネジ部のネジ山は転造によっては形成されないことが好ましい。ネジ山を転造によって形成すると、転造による圧力変形でネジ部の内部に鬆が生じるおそれが高くなる。ネジ部の内部に転造に由来する鬆が存在すれば、ネジ部内部の強度にムラが生じることとなる。そのため、建築木材の長年の経年変化に対しても安定した締結強度が期待される本願考案に係る建築木材用ネジの品質の均質性を高めるためにもネジ山を切削によって形成することが好ましい。
【考案の効果】
【０００８】
本考案に係る建築木材用ネジによれば、木材へのねじ込みが容易であり、かつ、ねじ込んだ木材との接地面が多いことにより、経年によってやせた木材からも抜けにくいという優れた効果を発揮することができる。
【図面の簡単な説明】
【０００９】
【図１】本考案に係る建築木材用ネジ１の全体を示す正面図である。
【図２】建築木材用ネジ１の軸中心で切断した縦端面を拡大して示した拡大部分端面図である。
【図３】先端部４の部分拡大縦断面図である。
【考案を実施するための形態】
【００１０】
以下、本考案に係る実施の形態を、図を参照しながら詳しく説明する。
【００１１】
図１は、本考案に係る建築木材用ネジ１を正面からみた全体を示す正面図である。建築木材用ネジ１は、頭部２から先端方向に向かって円柱状の胴部５が延設されてなる。さらに胴部５よりも先端方向には、胴部５の直径Ｄ２と同径Ｄ１を有するネジ山８が螺旋状に形成されてなるネジ部７が延設されてなる。
【００１２】
また、胴部５とネジ部７との間には、軸体３の外径が先端方向に向かって緩やかに縮径されてなる不完全ネジ部６が形成されてなる。さらに、胴部５の先端部４は円錐形状に形成されてなる。先端部４が円錐形状であることにより、材木の下穴に対して挿入し易く施工性が良好となる。なお、頭部２は、レンチ・インパクトレンチなどの締付工具でねじ込むことができる平面視六角形の柱状に形成されていてもよい。
【００１３】
図２は、図１の二点鎖線で囲われた部分を建築木材用ネジ１の軸中心で切断した縦端面を拡大して示した拡大部分端面図である。建築木材用ネジ１のネジ山８は、ネジ部７の軸方向Ｘに沿って隣り合うネジ山８とネジ山８との間に平坦部９が形成されてなる。
【００１４】
本実施の形態において、Ｍ２０を例として挙げれば、ネジ山８とネジ山８の頂点Ｐ間のピッチは５．４ｍｍ〜５．６ｍｍに形成されてなる。また、ネジ山８の頂角θ１は５５°〜６０°に形成されてなる。さらに、ネジ山８の高さｈは２．０ｍｍ〜３．０ｍｍに形成されてなる。ネジ部７のネジ山８をこのような構成とすることによって、ねじ込んだ木材とのからみ付きを強くすることができ、経年変化によってやせた木材からも抜けにくく、建築木材同士の強固な締結を長期にわたって維持できるという優れた効果を発揮することができる。
【００１５】
さらに、図３に示すように、先端部４の角度θ２は６０°〜７５°に形成されてなる。角度θがこのような角度に形成されてなることによって、建築部材である建築木材へのねじ込みを容易とすることができる。
【００１６】
本考案に係る建築木材用ネジ１のネジ山８は、図１、３に示すように、切削加工によって形成されてなることが好ましい。ネジ山８を切削加工しつつ、先端部４の円錐形の基端の一部がネジ山８と連続するように形成することによって、切削加工工程を一連の作業として加工を行いやすい。また、ネジ山８を切削加工によって形成することで、ネジ山８を転造することなく形成することができる。転造を利用しないことで、十分な幅を持った平坦部９を形成することができ、ねじ込んだ木材とのからみ付きを強くすることができ、経年変化によってやせた木材からも抜けにくいという顕著な締結効果を発揮する建築木材用ネジ１を実現することができる。さらに、転造によってネジ山８を形成しないことで、転造の際にネジ素材に加わる圧力によってネジ部７の内部に鬆を発生させるおそれがなくネジ山８を形成することができる。
【符号の説明】
【００１７】
１  建築木材用ネジ
２  頭部
３  軸体
４  先端部
５  胴部
６  不完全ネジ部
７  ネジ部
８  ネジ山
９  平坦部
【図１】
0003233356.tif 000003
【図２】
0003233356.tif 000004
【図３】
0003233356.tif 000005